(57)【要約】【課題】  バックライト（冷陰極管）の発光輝度を上げてもバックライトモジュール内の局所的な温度上昇を防止することができる高画質化を可能とした液晶カラーディスプレイ装置を提供する。【解決手段】  バックライトモジュール９内のバックライト５の反射板２の背面の全面又は平坦部分の略全面に、高熱伝導度の弾性体３を介して高熱伝導度の金属板１２を貼り付ける。前記高熱伝導度の弾性体３は、好ましくは、アクリル系樹脂からなるシートである。前記金属板１２は、好ましくは、アルミニウム板又は鉄板である。また、前記金属板１２の片面又は両面に遠赤外線による熱放射層１０を形成してもよい。【選択図】図１
2005037823.tif 000002
【特許請求の範囲】
【請求項１】
バックライトモジュール内のバックライトの反射板の背面の全面又は平坦部分の略全面に、高熱伝導度の弾性体を介して高熱伝導度の金属板を貼り付けたことを特徴とする液晶カラーディスプレイ装置。
【請求項２】
前記高熱伝導度の弾性体が、アクリル系樹脂からなるシートであることを特徴とする請求項１に記載の液晶カラーディスプレイ装置。
【請求項３】
前記金属板が、アルミニウム板であることを特徴とする請求項１に記載の液晶カラーディスプレイ装置。
【請求項４】
前記金属板が、鉄板であることを特徴とする請求項１に記載の液晶カラーディスプレイ装置。
【請求項５】
前記金属板の片面又は両面に遠赤外線による熱放射層を形成したことを特徴とする請求項１〜４のいずれかに記載の液晶カラーディスプレイ装置。
【請求項６】
前記金属板に、これと略直角の複数の放熱板を植設したことを特徴とする請求項１〜４のいずれかに記載の液晶カラーディスプレイ装置。
【請求項７】
前記金属板に、背面又は両面に遠赤外線による熱放射層を形成した高熱伝導の波形形状金属板を貼り付けたことを特徴とする請求項１〜４のいずれかに記載の液晶カラーディスプレイ装置。
【請求項８】
前記金属板の両面に遠赤外線による熱放射層を形成した高熱伝導の波形形状金属板を貼り付けたことを特徴とする請求項１〜４のいずれかに記載の液晶カラーディスプレイ装置。
【発明の詳細な説明】
【技術分野】
【０００１】
本発明は、液晶カラーディスプレイ（ＬＣＤ）を用いてテレビ映像等の画像を表示する液晶カラーディスプレイ装置に関する。
【背景技術】
【０００２】
近年、テレビ映像等の画像を大画面で表示できる薄型の表示装置として液晶を用いた液晶カラーディスプレイ装置（特許文献１を参照。）が一般的となってきた。図７は、このような従来の液晶カラーディスプレイ装置の側面図である。図７に示されているように、従来の液晶カラーディスプレイ装置は、テレビ映像等の画像を表示する表示デバイスの主部品として、液晶１とカラーフィルター７とバックライト５とを有している。バックライトモジュール９内のバックライト（冷陰極管）５の背面部に設置される反射板２の背面の平坦部は、直接アルミニウムや鉄の高熱伝導度の金属板４を接着材等で貼付ける事無く空隙１５を設けてピン等で簡易的な固定状態で取り付けられている。
【０００３】
このような従来の液晶カラーディスプレイ装置においては、液晶の背面からバックライトに冷陰極管を用いて光を照射してテレビ映像等を表示するが、高画質化しようとして冷陰極管の発光輝度を上げると、バックライトモジュール内に熱が蓄熱されるので、冷陰極管の温度が上昇して発光効率が低下し、そのために、画質が劣化するという問題があった。
【特許文献１】特開２００３−３１００３号公報
【発明の開示】
【発明が解決しようとする課題】
【０００４】
本発明は、上記問題点に鑑みなされたもので、バックライト（冷陰極管）の発光輝度を上げてもバックライトモジュール内の局所的な温度上昇を防止することができる高画質化を可能とした液晶カラーディスプレイ装置を提供することを目的とする。
【課題を解決するための手段】
【０００５】
請求項１に記載された発明は、上記目的を達成するために、バックライトモジュール内のバックライトの反射板の背面の全面又は平坦部分の略全面に、高熱伝導度の弾性体を介して高熱伝導度の金属板を貼り付けたことを特徴とする液晶カラーディスプレイ装置である。
【０００６】
請求項２に記載された発明は、請求項１に記載された発明において、前記高熱伝導度の弾性体が、アクリル系樹脂からなるシートであることを特徴とするものである。
【０００７】
請求項３に記載された発明は、請求項１に記載された発明において、前記金属板が、アルミニウム板であることを特徴とするものである。
【０００８】
請求項４に記載された発明は、請求項１に記載された発明において、前記金属板が鉄板であることを特徴とするものである。
【０００９】
請求項５に記載された発明は、請求項１〜４のいずれかに記載された発明において、前記金属板の片面又は両面に遠赤外線による熱放射層を形成したことを特徴とするものである。
【００１０】
請求項６に記載された発明は、請求項１〜４のいずれかに記載された発明において、前記金属板に、これと略直角の複数の放熱板を植設したことを特徴とするものである。
【００１１】
請求項７に記載された発明は、請求項１〜４のいずれかに記載された発明において、前記金属板に、背面又は両面に遠赤外線による熱放射層を形成した高熱伝導の波形形状金属板を貼り付けたことを特徴とするものである。
【００１２】
請求項８に記載された発明は、請求項１〜４のいずれかに記載された発明において、前記金属板の両面に遠赤外線による熱放射層を形成した高熱伝導の波形形状金属板を貼り付けたことを特徴とするものである。
【発明の効果】
【００１３】
本発明は、以下に記載するような効果を奏する。
【００１４】
請求項１に記載された発明によれば、液晶カラーディスプレイ装置のバックライトモジュール内のバックライトの反射板の背面の全面又は平坦部分の略全面に、高熱伝導度の弾性体を介して高熱伝導度の金属板を貼り付けたので、バックライト（冷陰極管）の発光輝度を上げても、バックライトが設置されているバックライトモジュール内を均熱化するとともに放熱を促進して温度上昇を防止することができ、そのために、発光効率の低下が抑制され、よって、高画質化を可能とした液晶カラーディスプレイ装置を提供することができる。
【００１５】
請求項２に記載された発明によれば、前記高熱伝導度の弾性体が、アクリル系樹脂からなるシートであるので、バックライト反射板を金属板に均一に接触させることができ、そのために、金属板を低熱抵抗でバックライト反射板に取り付けることが可能となる。
【００１６】
請求項３に記載された発明によれば、前記金属板が、アルミニウム板であるので、軽量で高熱伝導度の金属板が得られる。
【００１７】
請求項４に記載された発明によれば、前記金属板が鉄板であるので、低価格で高熱伝導度の金属板が得られる。
【００１８】
請求項５に記載された発明によれば、前記金属板の片面又は両面に遠赤外線による熱放射層を形成したので、金属板の実効的な放熱効果をさらに大きくすることができる。
【００１９】
請求項６に記載された発明によれば、前記金属板にこれと略直角の複数の放熱板を植設したので、低価格で実効的な放熱効果を大きくする事ができる。
【００２０】
請求項７に記載された発明によれば、前記金属板に、背面又は両面に遠赤外線による熱放射層を形成した高熱伝導の波形形状金属板を貼り付けたので、低価格で実効的な放熱効果をさらに大きくすることができる。
【００２１】
請求項８に記載された発明によれば、前記金属板の両面に遠赤外線による熱放射層を形成した高熱伝導の波形形状金属板を貼り付けたので、低価格で実効的な放熱効果をさらに大きくすることができる。
【発明を実施するための最良の形態】
【００２２】
図１は、本発明一実施の形態を示す液晶カラーディスプレイ装置の側面図である。図２〜６は、本発明他の一実施の形態を示す液晶カラーディスプレイ装置の側面図である。
【００２３】
図１に示すように、本発明の液晶カラーディスプレイ装置は、テレビ映像等の画像を表示する表示デバイスとしての主部品として、液晶１とカラーフィルター７とバックライト５とを有している。バックライトモジュール９内のバックライト（冷陰極管）５の背面部に設置される反射板２の背面の平坦部の略全面には、高熱伝導度のアクリル樹脂系シートの弾性体３を接着材で貼着する。弾性体３の背面にはアルミニウム、鉄等の高熱伝導度の金属板４を接着材で貼付けして取り付ける。
【００２４】
図２に示すように、本発明の液晶カラーディスプレイ装置は、テレビ映像等の画像を表示する表示デバイスとしての主部品として、液晶１とカラーフィルター７とバックライト５とを有している。バックライトモジュール９内のバックライト（冷陰極管）５の背面部に設置される反射板２の背面の平坦部の略全面には、高熱伝導度のアクリル樹脂系シート等の弾性体３を接着材で貼着する。弾性体３の背面には、表面に遠赤外線熱放射層１０を形成したアルミニウム、鉄等の高熱伝導度の金属板４を接着材で貼付けして取り付ける。
【００２５】
図３に示すように、本発明の液晶カラーディスプレイ装置は、テレビ映像等の画像を表示する表示デバイスとしての主部品として、液晶１とカラーフィルター７とバックライト５とを有している。バックライトモジュール９内のバックライト（冷陰極管）５の背面部に設置される反射板２の背面の平坦部の略全面には、高熱伝導度のアクリル樹脂系シート等の弾性体３を接着材等で貼着する。弾性体３の背面にはアルミニウムや鉄の表面に形成した高熱伝導度の金属板４を接着材等で貼着等して取り付ける。金属板４の背面には金属板４と略直角に複数の放熱板１１を植設する。
【００２６】
図４に示すように、本発明の液晶カラーディスプレイ装置は、テレビ映像等の画像を表示する表示デバイスとしての主部品として、液晶１とカラーフィルター７とバックライト５とを有している。バックライトモジュール９内のバックライト（冷陰極管）５の背面部に設置される反射板２の背面の平坦部の略全面には、高熱伝導度のアクリル樹脂系シート等の弾性体３を接着材で貼着する。弾性体３の背面には、アルミニウム、鉄等の高熱伝導度の金属板４を接着材で貼着して取り付ける。金属板４の背面には高熱伝導のアクリル樹脂系シート等の弾性体１３を接着材で貼着する。弾性体１３の背面に波板形状の高熱伝導の金属板１２を接着材等で貼着する。
【００２７】
図５に示すように、本発明の液晶カラーディスプレイ装置は、テレビ映像等の画像を表示する表示デバイスとしての主部品として、液晶１とカラーフィルター７とバックライト５とを有している。バックライトモジュール９内のバックライト（冷陰極管）５の背面部に設置される反射板２の背面の平坦部の略全面には、高熱伝導度のアクリル樹脂系シート等の弾性体３を接着材等で貼着する。弾性体３の背面にはアルミニウムや鉄の高熱伝導度の金属板４を接着材等で貼着等して取り付ける。金属板４の背面には高熱伝導のアクリル樹脂系シート等の弾性体１３を接着材等で貼着する。弾性体１３の背面に両面に遠赤外線熱放射層１４を形成した波板形状の金属板１２を接着材等で貼着する。
【００２８】
図６に示すように、本発明の液晶カラーディスプレイ装置は、テレビ映像等の画像を表示する表示デバイスとしての主部品として、液晶１とカラーフィルター７とバックライト５とを有している。バックライトモジュール９内のバックライト（冷陰極管）５の背面部に設置される反射板２の背面の平坦部の略全面には、高熱伝導度のアクリル樹脂系シート等の弾性体３を接着材等で貼着する。弾性体３の背面には、遠赤外線熱放射層（図示省略）を表面に形成したアルミニウム、鉄等の高熱伝導度の波板形状の金属板１２を接着材で貼着して取り付ける。
【図面の簡単な説明】
【００２９】
【図１】本発明一実施の形態を示す液晶カラーディスプレイ装置の側面図である。
【図２】本発明他の一実施の形態を示す液晶カラーディスプレイ装置の側面図である。
【図３】本発明他の一実施の形態を示す液晶カラーディスプレイ装置の側面図である。
【図４】本発明他の一実施の形態を示す液晶カラーディスプレイ装置の側面図である。
【図５】本発明他の一実施の形態を示す液晶カラーディスプレイ装置の側面図である。
【図６】本発明他の一実施の形態を示す液晶カラーディスプレイ装置の側面図である。
【図７】従来の液晶カラーディスプレイ装置の側面図である。
【符号の説明】
【００３０】
１    液晶
２    バックライト反射板
３、１３    高熱伝導のアクリル樹脂系弾性シート
４    アルミニウムや鉄の高熱伝導金属板
５    バックライト（冷陰極管）
６    拡散板
７    カラーフィルター
８    偏光フィルター
９    バックライトモジュール
１０    遠赤外線による熱放射層
１１    放熱板
１２    金属板
１４    遠赤外線熱放射層
１５    空隙
【図１】
2005037823.tif 000003
【図２】
2005037823.tif 000004
【図３】
2005037823.tif 000005
【図４】
2005037823.tif 000006
【図５】
2005037823.tif 000007
【図６】
2005037823.tif 000008
【図７】
2005037823.tif 000009